(57)【要約】      （修正有）【課題】  通常の排便および排尿が困難な人に、薄く弾力性のある筒体と風船のように膨らむ袋体の一体型と分離型により装着および脱着できるものを用意し、排便排尿処理が簡単に行え、装着に要する労力が著しく低減できる小型排泄物処理装具を提供する。【解決手段】  薄く弾力性のある筒体１と風船のように膨らむ袋体２と薄く弾力性のある筒体１の先端部位を折り返して空洞のリング状および浮き袋状３などと筒体１の先端部位に沿って延びる細い管６と逆支弁７と個々に備えた連結部１０、１１と連結部ストッパー５とを備え、排便排尿の困難な人のために筒体１の先端部位が直腸内壁および膀胱内壁に位置し得るように挿入し、肛門および尿道の外側には逆支弁７などと大きく膨らむ袋体２があり、逆支弁７などより筒体１の先端部位に沿って延びる細い管６が空洞のリング状および浮き袋状３などに連通していてる小型排泄物処理装具である。【選択図】図１
2006314728.tif 000002
【特許請求の範囲】
【請求項１】
通常の排便および排尿が困難な人のために、薄く弾力性のある筒体の先端部位を折り返して空洞のリング状および浮き袋状などに形成し、排便の困難な人には筒体の先端部位が直腸内壁に位置し得るように挿入し、排尿が困難な人には筒体の先端部位が膀胱内壁に位置し得るように挿入し、筒体の先端部位が膨脹および収縮することで固定および解除でき、肛門から挿入する筒体は肛門の外側に、尿道から挿入する筒体は尿道の外側に逆支弁などと大きく膨らむ袋体とを備え、逆支弁などより筒体の先端部位に沿って延びる細い管が空洞のリング状および浮き袋状などに連通していて、逆支弁などから空気などの気体または蒸留水などの液体を圧入および抜き取ることにより装着および脱着でき、排泄物が筒体を通過して袋体が大きく膨らんで収納処理することを特徴とする小型排泄物処理装具である。
【請求項２】
薄く弾力性のある筒体と風船のように膨らむ袋体は、密接に着脱できる連結部により一体型と分離型を形成する請求項１に記載の小型排泄物処理装具である。
【請求項３】
請求項２の分離型は、筒体と袋体は個々に連結部を有し、筒体と袋体の間に連結部ストッパーを備える請求項１に記載の小型排泄物処理装具である。
【請求項４】
請求項２の一体型は、袋体の底に廃棄口を設けたものは廃棄口より廃棄できる請求項１に記載の小型排泄物処理装具である。
【請求項５】
風船のように膨らむ袋体は、薄く弾力性のある筒体に小さく装着でき、筒体中に袋体を収納できるものは排泄物が筒体を通過して袋体を筒体中より押し出し、大きく膨らんで排泄物を収納できる請求項１に記載の小型排泄物処理装具である。
【請求項６】
薄く弾力性のある筒体の側面に指先が収納できるように袋を設け、簡単に挿入し易く形成した請求項１に記載の小型排泄物処理装具である。
【請求項７】
便や尿の排泄にトイレを使用しない人、人工肛門の人、乳幼児、身動きできない人、寝たきり老人や病床に臥している人のために大きさおよび長さなどを変更することにより使用可能にした請求項１から請求項６に記載の小型排泄物処理装具である。
【発明の詳細な説明】
【技術分野】
【０００１】  通常の排便および排尿が困難な人のために、薄く弾力性のある筒体と風船のように膨らむ袋体の一体型と分離型を製作し、排便の困難な人には筒体の先端部位が直腸内壁に位置し得るように挿入し、排尿が困難な人には筒体の先端部位が膀胱内壁に位置し得るように挿入し、筒体の先端部位が膨脹および収縮することで固定および解除できるようにし、肛門から挿入する筒体は肛門の外側に、尿道から挿入する筒体は尿道の外側に逆支弁などと大きく膨らむ袋体とを備え、逆支弁などより筒体の先端部位に沿って延びる細い管が空洞のリング状および浮き袋状などに連通していて、逆支弁などから空気などの気体または蒸留水などの液体を圧入および抜き取ることにより装着および脱着でき、排泄物が筒体を通過して袋体が大きく膨らんで収納処理することを特徴とする小型排泄物処理装具に関する。
【背景技術】
【０００２】  人口の高齢化が進むに従い、寝たきり老人が益々増加の傾向にある。また、交通事故や先天的要因による肢体不自由者も多く、その約半数が神経麻痺を伴っている。これらの人々にとって、排便の処理は日常生活上の一大問題である排泄機器としては採尿器が開発されている程度であり、これらの処置は患者にとって肉体的、精神的に著しい苦痛を与えるとともに、排便介護者側にとっても長時間に亘る排便作業に携わらねばならず、しかも糞便の臭気に耐えねばならない嫌悪的な作業を余儀なくされる。また、従来の使い捨ておむつは肛門周囲を含め皮膚に密着する構造になっているため、肛門より排出された便は肛門を中心として広範囲な会陰部皮膚に付着した便で付着した皮膚は被れやすく、おむつの取り替えや便を尻から拭き取る間に便臭や尿臭が部屋中に充満することが、おむつ装着者はもとより介護者や同室者に不快感を与えている。【０００３】  寝たきりの人の排便処理として、便失禁者の場合は殆どが紙おむつ、布おむつで処理され、便意はあるが動けない人の場合もおむつ又は差し込み便器、排便のできる特殊なベッドで処理されている。又、臀部にパウチを貼り付け、おむつの代わりにパウチで処理する方法が用いられている。更に、開口部を細長く形成した袋体の開口部周縁に弾性リングを設け、弾性リングを変形させて袋体の開口部を肛門から人体内に挿入し、弾性リングで肛門内に固定するものも提案されている。【０００４】  主として老人を看護する病院や老人施設のように多数の寝たきりの老人がいる所では、上述のおむつや便器の交換は非常に労力と時間がかかり、特殊なベッドは設備費がかかる上、排泄後の肛門部の処理には同様に相当の手間を要する。パウチを利用する方法の交換は比較的簡単であるが、粘着剤を使用するため粘着剤による皮膚障害を起こす可能性があり、もともと皮膚の弱い老人には好ましいものではなく、それなりの対応を必要とする。弾性リングで袋体を固定する方法は、弾性リングの挿入、取外しに高度の技術を要し、常時ある太さのガイドが肛門に挿入されているので、違和感が大きく、ガイドを長く挿入し続けると肛門括約筋の機能を低下させる危険性があり、更に排便毎、または一定量の排便があったときは装具全体を取り換える必要があり、排便後の処理が同様に厄介である。
【発明の開示】
【発明が解決しようとする課題】
【０００５】  このような排便排尿処理上の諸問題を解決するための手段として、本発明は通常の排便および排尿が困難な人のために、肛門および尿道の外側より薄く弾力性のある筒体を挿入し、肛門および尿道の外側には風船のように膨らむ袋体を備える一体型と分離型を製作し、肛門および尿道の外側に備えた逆支弁などより筒体の先端部位に沿って延びる細い管が空洞のリング状および浮き袋状などに連通していて、逆支弁などから空気などの気体または蒸留水などの液体を圧入および抜き取ることにより装着および脱着でき、排泄物が筒体を通過して袋体が大きく膨らんで収納処理できる小型排泄物処理装具を提供することにある。
【課題を解決するための手段】
【０００６】  上述の目的を達成するため、本発明の小型排泄物処理装具は、通常の排便および排尿が困難な人に装着するため、薄く弾力性のある筒体の先端部位を折り返して空洞のリング状および浮き袋状などに形成し、排便の困難な人には筒体の先端部位が直腸内壁に位置し得るように挿入し、排尿が困難な人には筒体の先端部位が膀胱内壁に位置し得るように挿入し、筒体の先端部位が膨脹および収縮することで固定および解除でき、肛門から挿入する筒体は肛門の外側に、尿道から挿入する筒体は尿道の外側に逆支弁などと大きく膨らむ袋体とを備え、逆支弁などより筒体の先端部位に沿って延びる細い管が空洞のリング状および浮き袋状などに連通していて、逆支弁などから空気などの気体または蒸留水などの液体を圧入および抜き取ることにより装着および脱着でき、排泄物が筒体を通過して大きく膨らむ袋体に収納処理できるようになっている。【０００７】  本発明の小型排泄物処理装具は、密接に着脱できる連結部により一体型と分離型を形成し、筒体と袋体は個々に連結部を有し、筒体と袋体の間に連結部ストッパーを備え、連結部ストッパーを使用することで、装着者は便意および尿意を予感することでトイレを使用できるようになる。【０００８】  一体型では、袋体の底に廃棄口を設けたものは廃棄口より廃棄できるようになり装着者は便意および尿意を予感することでトイレを使用できるようになる。【０００９】  簡単に装着および脱着できるように薄く弾力性のある筒体の側面に指先が入る程度の袋を設けて筒体を押し入れられるようにする。【００１０】  尿や便の排泄にトイレを使用しない人、人工肛門の人、乳幼児、身動きできない人、寝たきり老人や病床に臥している人のために大きさおよび長さなどを変更することにより使用可能になる。
【発明の効果】
【００１１】  薄く弾力性のある筒体と風船のように膨らむ袋体は、一体型と分離型を形成し、一体型では、筒体中に袋体を収納できるものは排泄物が筒体を通過して袋体を筒体中より押し出し排泄物を収納処理することができ、使用した場合は都度すべて廃棄する。分離型では、筒体側は２週間前後から３週間前後に使い捨てし、通常袋体は都度使い捨てする。【００１２】  本発明によれば、小型排泄物処理装具を通常の排便および排尿が困難な人に装着し、薄く弾力性のある筒体を肛門および尿道から挿入し、排便の困難な人は筒体の先端部位が直腸内壁に位置し得るように挿入し、排尿が困難な人は筒体の先端部位が膀胱内壁に位置し得るように挿入し、筒体の先端部位が膨脹および収縮することで固定および解除でき、肛門から挿入する筒体は肛門の外側に、尿道から挿入する筒体は尿道の外側に逆支弁などと大きく膨らむ袋体とを備え、逆支弁などより筒体の先端部位に沿って延びる細い管が空洞のリング状および浮き袋状などに連通していて、逆支弁などから空気などの気体または蒸留水などの液体を圧入および抜き取ることにより装着および脱着でき、筒体と袋体の間に備えたストッパーを使用することにより、トイレを使用できるようになる。また、薄く弾力性のある筒体の側面に指先が収納できるように袋を設け、簡単に挿入し易く形成し、装着者の排便および排尿処理が簡単に行え、装着に要する労力が著しく低減でき、筒体の肛門内および膀胱内固定も極めて容易で特殊な取扱い技術を必要とせず、しかも肛門および直腸、尿道および膀胱に機能障害を生ずる危険性もなく、粘着パウチの場合のように局部の剃毛の必要もなく粘着剤による被れの心配もなく、長時間にわたり快適に着用することができ、便や尿の排泄にトイレを使用しない人、人工肛門の人、乳幼児、身動きできない人、寝たきり老人や病床に臥している人のために大きさおよび長さなどを変更することにより使用可能にし、装着者に従来のものでは得られなかった快適性を提供するものである。
【発明の実施するための最良の形態】
以下に、本発明の実施の形態を図１にて説明する。
【００１３】  図１、図２は、本発明の小型排泄物処理装具の全体の構成図である。すなわち、薄く弾力性のある筒体１と風船のように膨らむ袋体２の一体型８と分離型９があり、薄く弾力性のある筒体１の先端部位を折り返して空洞のリング状および浮き袋状３などに形成し、排便の困難な人には筒体１の先端部位が直腸内壁に位置し得るように挿入し、排尿が困難な人には筒体１の先端部位が膀胱内壁に位置し得るように挿入し、筒体１の先端部位が膨脹および収縮することで固定および解除できるようにし、肛門から挿入する筒体１は肛門の外側に、尿道から挿入する筒体１は尿道の外側に逆支弁７などと大きく膨らむ袋体２とを備え、逆支弁７などより筒体１の先端部位に沿って延びる細い管６が空洞のリング状および浮き袋状３などに連通していて、逆支弁７などから空気などの気体または蒸留水などの液体を圧入および抜き取ることにより装着および脱着でき、排泄物が筒体１を通過して袋体２に収納処理する。また、分離型９では筒体１と袋体２は個々に連結部１０、１１を有し、筒体１と袋体２の間に連結部ストッパー５を備え、一体型８では、袋体２に廃棄口１２が設けられているものといないものとがあり、トイレを使用できる。
【００１４】  薄く弾力性のある筒体１の先端部位を折り返して空洞のリング状および浮き袋状３などに、空気などの気体または蒸留水などの液体を抜いた状態で薄く弾力性のある筒体１の先端部位を折り返して空洞のリング状および浮き袋状３などを肛門内および膀胱内に挿入し、肛門および尿道の外側に位置する逆支弁７より空気などの気体または蒸留水などの液体を圧入および抜き取ることにより装着および脱着することができる。
【００１５】  肛門および尿道の外側には筒体１の連結部１０と袋体２は個々に連結部１０、１１を有し、密接に着脱でき、連結部１０、１１により一体型８と分離型９を形成することができる。
【００１６】  筒体１と袋体２の間に備えた連結ストッパー５を使用することにより、トイレを使用できるようになり、装着者の排便および排尿処理が簡単に行うことができる。
【００１７】  薄く弾力性のある筒体１と風船のように膨らむ袋体２が密接に着脱できる連結部１０、１１は、筒体１の連結部１０と袋体２の連結部１１を嵌めこみ、捩じ込み、捲き込みなどにより連結できる。
【００１８】  薄く弾力性のある筒体１と風船のように膨らむ袋体２は密接に着脱できる連結部１０，１１により、脱着が簡単にできる。
【００１９】  装着者がおむつ等を使用しないまま、歩行中もしくはトイレを使用する場合には連結部ストッパー５を必要とし、便意を予感した時点で、連結部４に備えた連結ストッパー５を外すことにより排便排尿動作に入れ、トイレを使用できる。
【００２０】  小型排泄物処理装具は、次のようにして装着および脱着される。先ず薄く弾力性のある筒体１の先端部位を折り返して空洞のリング状および浮き袋状３などに、空気などの気体または蒸留水などの液体を充填しない状態で薄く弾力性のある筒体１の先端部位を折り返して空洞のリング状および浮き袋状３などと肛門および尿道の外側に位置する逆支弁７などより筒体１の先端部位に沿って延びる細い管６を肛門内および膀胱内に押し込む。この場合薄く弾力性のある筒体１の先端部位を折り返して空洞のリング状および浮き袋状３などは膨脹していない状態で、薄く弾力性のある筒体１の先端部位を折り返して空洞のリング状および浮き袋状３などと肛門および尿道の外側に位置する逆支弁７などより筒体１の先端部位に沿って延びる細い管６は柔軟であるから、極めて容易に肛門内に挿入することができる。次いで肛門および尿道の外側に位置する逆支弁７などより筒体１の先端部位に沿って延びる細い管６から空気などの気体または蒸留水などの液体を送り込んで薄く弾力性のある筒体１の先端部位を折り返して空洞のリング状および浮き袋状３などを膨脹させ、薄く弾力性のある筒体１の先端部位を折り返して空洞のリング状および浮き袋状３などが直腸内壁および膀胱内壁に及ぼす圧力が適切な値となったところでの空気などの気体または蒸留水などの液体の送入を止めると、薄く弾力性のある筒体１の先端部位を折り返して空洞のリング状および浮き袋状３などと肛門および尿道の外側に位置する。逆支弁７などより筒体１の先端部位に沿って延びる細い管６の一部分は直腸内壁および膀胱内壁に固定され抜けない状態となり装着される。便意および尿意を予感すると、便および尿は直腸内および膀胱内から薄く弾力性のある筒体１の先端開口部４より薄く弾力性のある筒体１の内部を通過して風船のように膨らむ袋体２へ収納され、その後、薄く弾力性のある筒体１の先端部位を折り返して空洞のリング状内および浮き袋状３内などの空気などの気体または蒸留水などの液体を、肛門および尿道の外側に位置する逆支弁７などより筒体１の先端部位に沿って延びる細い管６から空気などの気体または蒸留水などの液体を抜き取り直腸内壁および膀胱内壁に及ぼす圧力が低下し、薄く弾力性のある筒体１を肛門および尿道の外側に抜き出すことにより脱着することができる。
【００２１】  薄く弾力性のある筒体１と風船のように膨らむ袋体２は、密接に着脱できる連結部１０、１１を備え、筒体１と袋体２の間に連結部ストッパー５を備え、分離型９を形成する。
【００２２】  薄く弾力性のある筒体１と風船のように膨らむ袋体２に密接に着脱できる連結部１０、１１を備えていない状態は、一体型８を形成する。
【００２３】  一体型８では、袋体２に設けた廃棄口１２より廃棄できるものと廃棄口１２を備えないものとに形成する。
【００２４】  筒体２の側面に指先が入る程度の袋１３は、幅１．５ｃｍから２．５ｃｍで、長さ２ｃｍから３ｃｍ、肉厚は０．０２ｍｍから０．２ｍｍ程度である。
【００２５】  尿や便の排泄にトイレを使用しない人、人工肛門の人、乳幼児、身動きできない人、寝たきり老人や病床に臥している人のために大きさおよび長さなどを変更することにより使用できる。
【００２６】  薄く弾力性のある筒体１と風船のように膨らむ袋体２、連結部１０、１１及び連結部ストッパー５などに用いる材料としては、シリコーンゴム、フッ素等や、シリコーン、ポリウレタン等のゴム弾性のあるエラストマー等が適していて、それらは単独でも複合でもよいが筒体１と袋体２の連結部１０、１１及び連結部ストッパー５と逆支弁７はプラスチック材使用になる。
【００２７】  薄く弾力性のある筒体１と風船のように膨らむ袋体２の肉厚は０．０２ｍｍから２．０ｍｍで、直腸内および膀胱内で使用されるときの膨らんだ状態は、外径は４５ｍｍから７０ｍｍ程度、内径は３５ｍｍから４５ｍｍ程度である。
【００２８】  薄く弾力性のある筒体１の肉厚は０．０２ｍｍから０．２ｍｍで、長さは５０ｍｍから７０ｍｍ程度である。
【００２９】  肛門括約筋の厚さは個人差があるが、その差は筒体１の伸縮性で補うことができる。なお、肛門括約筋が締まっているときは薄く弾力性のある筒体１も閉じた状態になっているため筒体１の肉厚は薄い程違和感が少ない。
【００３０】  連結部ストッパー５の肉厚は０．０２ｍｍから２．０ｍｍで、外径は４５ｍｍから７０ｍｍ程度、内径は３５ｍｍから４５ｍｍ程度で、形状は円、長円などを用いる。
【００３１】  逆支弁７などより薄く弾力性のある筒体１の先端部位に沿って延びる細い管６の肉厚は０．５ｍｍから１．０ｍｍ、内径は０．５ｍｍから１ｍｍ、外径は２ｍｍから３ｍｍ、長さは筒体１全体の長さより短く４０ｍｍから６０ｍｍ程度である。
【００３２】  風船のように膨張する袋体２の肉厚は０．０２ｍｍから２．０ｍｍで、体積は、５００ｇから３ｋｇ前後まで収納でき、円形、長円、四角等を用いることができる。
【図面の簡単な説明】
【００３３】
【図１】本発明の排便用装具の構成図である。
【図２】本発明の排尿用装具の構成図である。
【図３】本発明の連結部および連結ストッパーの構成図である。
【符号の説明】
１  筒体
２  袋体
３  薄く弾力性のある筒体１の先端部位を折り返して空洞のリング状および浮き袋状など
４  筒体１の先端開口部
５  連結部ストッパー
６  逆支弁などより薄く弾力性のある筒体１の先端部位に沿って延びる細い管
７  逆支弁
８  一体型
９  分離型
１０  筒体連結部
１１  袋体連結部
１２  風船のように膨らむ袋体２に設けた廃棄口
１３  筒体の側面に指先が入る程度の袋
【図１】
2006314728.tif 000003
【図２】
2006314728.tif 000004
【図３】
2006314728.tif 000005